(57)【要約】【課題】従属制御局に操作部が設けられていない場合であっても、従属制御局に主制御局のＩＤ情報を通知することで従属制御局が主制御局に同期することを可能にする。【解決手段】同期スロットとして制御情報を送信する主制御局と、主制御局に同期して通信する従属制御局と、主制御局及び従属制御局のＩＤを記憶するＩＤ記憶部を有する従属局から成り、新たに従属制御局が加わるような場合、その従属制御局が主制御局のＩＤ情報を記憶していなくても、従属局がＩＤ記憶部にある主制御局のＩＤ情報を従属制御局に通知し、従属制御局は該ＩＤ情報を持つ主制御局に同期することができる。【選択図】図５
2007006294.tif 000002
【特許請求の範囲】
【請求項１】
受信スロットと複数の送信スロットとで構成されるＴＤＭＡ通信フレームを用い送信スロットの中の所定スロットを同期スロットとして制御情報を送信する主制御局と、主制御局に同期して通信する従属制御局と、主制御局及び従属制御局のＩＤを記憶するＩＤ記憶部を有し各制御局と通信可能な従属局から成る無線通信システムであって、
前記従属局がＩＤ記憶部にある前記主制御局のＩＤ情報を前記従属制御局に通知し、
前記従属制御局は前記従属局から通知されたＩＤ情報を持つ主制御局に同期する
ことを特徴とする無線通信システム。
【請求項２】
前記従属局が従属制御局に対して位置登録する際に、主制御局のＩＤ情報を従属制御局に通知することを特徴とする請求項１記載の無線通信システム。
【請求項３】
受信スロットと複数の送信スロットとで構成されるＴＤＭＡ通信フレームを用い送信スロットの中の所定スロットを同期スロットとして制御情報を送信する主制御局と、主制御局のＩＤを記憶する第１のＩＤ記憶部及び第１のＩＤ記憶部に記憶しているＩＤを持つ主制御局に同期する同期処理部を備えた従属制御局と、主制御局及び従属制御局のＩＤを記憶する第２のＩＤ記憶部を有し各制御局と通信可能な従属局から成る無線通信システムであって、
前記従属局は従属制御局に対して位置登録する際、前記従属制御局との間の無線リンクに載せて第２のＩＤ記憶部にある前記主制御局のＩＤ情報を前記従属制御局に通知し、
前記従属制御局は該主制御局のＩＤ情報を第１のＩＤ記憶部に記憶し、前記同期処理部により主制御局に同期する
ことを特徴とする無線通信システム。
【請求項４】
受信スロットと複数の送信スロットとで構成されるＴＤＭＡ通信フレームを用い、同期スロットとして制御情報を送信する主制御局と、前記主制御局のＩＤを記憶する記憶部を有し主制御局に同期して動作する従属制御局との間でＴＤＭＡ通信が可能な無線通信装置であって、
主制御局及び１台以上の従属制御局のＩＤを記憶するＩＤ記憶部と、主制御局に同期するための同期処理部を備え、
従属制御局に対して位置登録する際、前記従属制御局との間の無線リンクに載せて前記ＩＤ記憶部にある前記主制御局のＩＤ情報を前記従属制御局に通知する
ことを特徴とする無線通信装置。
【発明の詳細な説明】
【技術分野】
【０００１】
本発明は、制御局と従属局とが時分割多重で通信を行う無線通信システムおよび無線通信装置に関する。
【背景技術】
【０００２】
１つの制御局と複数の従属局とが、ＴＤＭＡ（時分割多重）で通信を行う通信システムがある。例えば、図１４に示すようにコードレス電話装置２０のコードレス電話親機２０ａを制御局とし、複数のコードレス電話子機２０ｂを従属局とすれば、コードレス電話親機２０ａを１階のリビングに配置したとすると、コードレス電話子機２０ｂを２階の子供部屋に１台、寝室に１台というように配置することで、着信の度にコードレス電話親機２０ａまで通話しに行かなくても良いので利便性が非常に高い。（図１４においてはコードレス電話子機２０ｂは１台だけ図示している。）。
【０００３】
ところで、一般家庭では、カメラ付きドアホン装置２１を設置する場合がある。カメラ付きドアホン装置２１は、カメラ、マイク、スピーカ、およびチャイムを鳴らす鳴動用ボタンなどを備えた玄関子機２１ａが門柱などに設置され、モニタ、マイク、スピーカ、および通話状態とする応答用ボタンを備えたドアホン親機２１ｂがリビングなどに設置される。
【０００４】
来訪者が鳴動用ボタンを押下すると、ドアホン親機２１ｂからチャイムがなることで来訪者がわかるが、その応答にはドアホン親機２１ｂが設置されているリビングまで行く必要がある。
【０００５】
そこで、鳴動用ボタンが押下されると、ドアホン親機２１ｂから離れた場所にいても無線で知らせてくれるようなドアホン子機があれば、コードレス電話装置２０と同様に、わざわざリビングに行く必要がないので利便性が高いと思われる。つまりドアホン親機２１ｂを制御局とし、ドアホン子機を従属局として通信すれば、離れた位置にあっても来訪者を通知したり、来訪者と会話することが可能となる。
【０００６】
しかし、これではコードレス電話子機２０ｂや、ドアホン子機など、それぞれの用途にしか使用できない子機が増えてしまい、使用するときになってそれぞれの子機を探したり、子機が紛失したりするなど問題がある。またコードレス電話装置２０とコードレス化したドアホン装置とで混信するおそれもある。
【０００７】
コードレス電話子機２０ｂを共通で使用して、コードレス電話親機２０ａとドアホン親機２１ｂとに無線で通信できれば、子機の数は増えずに済む。そのためには、コードレス電話子機２０ｂを、コードレス電話親機２０ａおよびドアホン親機２１ｂにそれぞれ対応した共用の無線部を設ければよいが、そうなると可搬性が重要であるコードレス電話子機の重量も重くなるし、共用の無線部にしたからといってコードレス電話装置２０とコードレス化したドアホン装置とで混信が無くなるわけではない。
【０００８】
このような、複数の制御局と従属局とが通信する無線通信システムの無線電話装置親機が特許文献１に記載されている。この特許文献１に記載の無線電話装置親機は、公衆基地局のタイムスロットのタイミングを抽出し、このタイミングに基づいて、公衆基地局の送信用タイムスロットと重ならない無線通信装置親機の送信用タイムスロットで無線電話装置子機と通信するものである。この技術を適用することで、公衆基地局をコードレス電話親機２０ａとし、無線通信装置親機をドアホン親機２１ｂとすれば、他方のタイムスロットのタイミングを抽出し、このタイミングに基づいて、それぞれの送信タイムスロットが重ならないよう通信を行うことにより、コードレス電話親機２０ａとドアホン親機２１ｂの混信が防止できるとともに、コードレス電話子機２１ｂには、１つ無線部で両方と通信が可能となる。
【特許文献１】特開平７−８７５５６号公報
【発明の開示】
【発明が解決しようとする課題】
【０００９】
しかし、特許文献１に記載の無線電話装置親機、即ち従属制御局では、公衆基地局、即ち主制御局に同期するため、主制御局のＩＤ情報を知る必要があり、従属制御局に主制御局のＩＤ情報を通知する必要がある。主制御局の識別ＩＤを従属制御局に通知する方法として、コードレス電話の親子機間の関連付けを行う子機登録動作と同様に、主制御局に従属制御局を無線で登録する方法や、直接従属制御局に主制御局のＩＤ情報を入力する方法があるが、いずれの場合も制御局に登録動作の起動やＩＤを入力するための操作キーや外部入力端子が必要となり、操作部が無い無線ターミナルでは不向きであった。
【００１０】
そこで本発明は、各制御局と通信可能な従属局を利用して従属局経由で従属制御局に主制御局のＩＤ情報を通知することで従属制御局が主制御局に同期することを可能にすることで、利便性の高い無線通信システムおよびその通信方法を提供することを目的とする。
【課題を解決するための手段】
【００１１】
本発明は、送信スロットの中の所定スロットを同期スロットとして制御情報を送信する主制御局と、主制御局に同期して通信する従属制御局と、主制御局及び従属制御局のＩＤを記憶するＩＤ記憶部を有する従属局から成り、前記従属局がＩＤ記憶部にある前記主制御局のＩＤ情報を前記従属制御局に通知し、前記従属制御局が主制御局のＩＤ情報を記憶し、主制御局に同期する。
【発明の効果】
【００１２】
本発明は、従属制御局に操作部が無い機器でも、あるいは操作部があっても従属制御局を操作することなく、従属制御局が主制御局と同期を確立することが可能である。
【００１３】
また、主制御局と従属制御局との両方を登録されている従属局が、従属制御局に対して位置登録する際に、主制御局のＩＤ情報を従属制御局に通知することにより、使用者が従属局の操作をすることなく、従属制御局が主制御局と同期を確立することが可能となる。
【発明を実施するための最良の形態】
【００１４】
本願の第１の発明は、受信スロットと複数の送信スロットとで構成されるＴＤＭＡ通信フレームを用い送信スロットの中の所定スロットを同期スロットとして制御情報を送信する主制御局と、主制御局に同期して通信する従属制御局と、主制御局及び従属制御局のＩＤを記憶するＩＤ記憶部を有し各制御局と通信可能な従属局から成る無線通信システムであって、前記従属局がＩＤ記憶部にある主制御局のＩＤ情報を従属制御局に通知し、従属制御局は前記従属局から通知されたのＩＤ情報を持つ主制御局に同期することを特徴としたものである。
【００１５】
この構成により、従属局が記憶している主制御局のＩＤ情報を従属制御局に通知し、従属制御局はそのＩＤ情報を記憶するとともに、そのＩＤ情報を持つ主制御局と同期を確立することで、従属制御局に操作部が設けられていない場合、あるいは操作部があっても従属制御局を操作することなく、従属制御局が主制御局と同期を確立することが可能である。
【００１６】
本願の第２の発明は、主制御局と従属制御局の両方の登録されている従属局が、従属制御局に対して位置登録する際に、主制御局のＩＤ情報を従属制御局に通知することを特徴としたものである。
【００１７】
この場合、従属局が主制御局との登録処理で獲得した主制御局のＩＤ情報を、従属制御局との位置登録時に従属制御局に通知し、従属制御局はそのＩＤ情報を記憶するとともに、そのＩＤ情報を持つ主制御局と同期を確立することで、使用者が従属局の操作をすることなく、従属制御局が主制御局と同期を確立することが可能となる。
【００１８】
（実施の形態）
本発明の第１の実施の形態に係る無線通信システムの構成を図１から図４に基づいて説明する。図１は、本発明の実施の形態に係る無線通信システムの構成を示す図である。図２は、本発明の実施の形態に係るドアホン装置の構成を説明する図である。図３は、本発明の実施の形態に係るコードレス電話装置のコードレス電話親機の構成を説明する図である。図４は、本発明の実施の形態に係るコードレス電話装置のコードレス電話子機の構成を説明する図である。
【００１９】
図１に示すように、本発明の実施の形態に係る無線通信システム１は、ドアホン装置２と、コードレス電話装置３とを備えている。ドアホン装置２は、玄関子機２ａと、ドアホン親機２ｂとから構成される。コードレス電話装置３は、コードレス電話親機３ａとコードレス電話子機３ｂとを備えている。図１では、コードレス電話子機３ｂとして１台しか図示していないが複数でもよい。本実施の形態の無線通信システム１では、コードレス電話親機３ａが主制御局、ドアホン親機２ｂが従属制御局、コードレス電話子機３ｂが従属局となり、無線によるＴＤＭＡで通信している。
【００２０】
図２に示すように、ドアホン装置２は、玄関子機２ａとドアホン親機２ｂとは有線で接続されている。玄関子機２ａは、来訪者を撮像するカメラ部１０１と、来訪者と通話するための通話部１０２と、来訪者による呼び出しを検知して呼び出し通知としてドアホン親機２ｂへ送信する呼び出し検知部１０３と、撮像した来訪者の映像データと音声データと呼び出し通知を多重したり、分離したりしてドアホン親機２ｂとの通信を行う多重分離回路１０４とを備えている。
【００２１】
ドアホン親機２ｂは、モニタ回路２０１と、モニタ２０２と、画像情報記憶部２０３と、呼び出し検知部２０４と、報知部２０５と、音声回路２０６と、通話部２０７と、同期処理部２０８と、フレーム処理部２０９と、無線部２１０と、操作部２１１と、アンテナ２１３と、制御部２１４と、電話親機ＩＤ記憶部２１５と、ドアホンＩＤ記憶部２１６と、多重分離回路２２０とを備えている。
【００２２】
モニタ回路２０１は、多重分離回路２２０に接続され、玄関子機２ａからの映像データをモニタ２０２へ表示させる。
【００２３】
画像情報記憶部２０３は、玄関子機２ａからの映像データをモニタ回路２０１を介して記憶し、制御部２１４へ出力する。
【００２４】
呼び出し検知部２０４は、多重分離回路２２０に接続され、玄関子機２ａの呼び出し検知部１０３からの呼び出し通知を検知して報知部２０５のチャイムなどを鳴動させて使用者へ来訪者があることを報知するとともに制御部２１４へ通知する。
【００２５】
音声回路２０６は、多重分離回路２２０に接続され、通話部２０７のマイクから入力された音声信号を音声データへ変換して玄関子機２ａへ送信したり、玄関子機２ａから受信した音声データを音声信号に変換して通話部２０７のスピーカにより鳴らしたり、コードレス電話子機３ｂと通信する際に音声データを玄関子機２ａへ中継したりする機能を備えている。
【００２６】
同期処理部２０８は、フレーム処理部２０９および制御部２１４と接続され、パケットの先頭のプリアンブルとシンクワードで同期処理を行う。
【００２７】
フレーム処理部２０９は、音声回路２０６、無線部２１０および制御部２１４に接続され、復調データから同期信号元に制御データフィールド及び情報データフィールドを抽出して制御部２１４又は音声回路２０６に出力する機能を備えている。
【００２８】
無線部２１０は、ＴＤＭＡで通信行うための変調および復調を行いアンテナ２１３を介して送受信する。
【００２９】
操作部２１１は、来訪者と通話する際に押下されるキーを備えている。
【００３０】
制御部２１４は、玄関子機２ａおよびドアホン親機２ｂを総括制御するものである。
【００３１】
電話親機ＩＤ記憶部２１５は、主制御局であるコードレス電話親機３ａの識別情報であるＩＤを記憶する。制御部２１４は前記電話親機ＩＤ記憶部２１５とＩＤ情報の読み出し、及び書き込みが可能に接続されている。ドアホンＩＤ記憶部２１６は、自装置のＩＤが登録されており、制御部２１４から読み出し可能に接続されている。
【００３２】
次にコードレス電話装置３について図３および図４に基づいて詳細に説明する。まず図３に基づいてコードレス電話親機３ａを説明する。
【００３３】
図３に示すように、コードレス電話親機３ａは、回線ＩＦ３０１と、音声回路３０２と、着信検知部３０３と、子機ＩＤ記憶部３０４と、電話親機ＩＤ記憶部３０５と、フレーム処理部３０６と、無線部３０７と、アンテナ３０８と、制御部３１１とを備えている。
【００３４】
回線ＩＦ３０１は、電話回線４と接続され着信検知部３０３へ出力するとともに、音声回路３０２へ出力する。また音声回路３０２からのアナログの音声信号を電話回線４へ送信する。
【００３５】
音声回路３０２は、音声信号をデジタルの音声データへ変換したり、音声データを音声信号へ変換したりする機能を備えている。
【００３６】
着信検知部３０３は、回線ＩＦ３０１と制御部３１１に接続されており、電話回線４からの音声信号により着信を検知して制御部３１１へ通知する。
【００３７】
子機ＩＤ記憶部３０４は、通信相手となる従属局であるコードレス電話子機３ｂのＩＤが登録されている。電話親機ＩＤ記憶部３０５は、主制御局である自装置のＩＤが登録されており、制御部３１１から読み出し可能に接続されている。
【００３８】
フレーム処理部３０６は、音声回路３０２、無線部３０７および制御部３１１に接続され、復調データから同期信号元に制御データフィールド及び情報データフィールドを抽出して制御部３１１又は音声回路３０２に出力する機能を備えている。
【００３９】
無線部３０７は、ＴＤＭＡで通信を行うための変調および復調を行いアンテナ３０８を介して送受信する。
【００４０】
制御部３１１は、コードレス電話親機３ａを総括制御するものである。
【００４１】
次に、コードレス電話子機３ｂについて図４に基づいて詳細に説明する。図４に示すように、コードレス電話子機３ｂは、報知部４０１と、音声回路４０２と、通話部４０３と、モニタ回路４０４と、同期処理部４０５と、フレーム処理部４０６と、無線部４０７と、アンテナ４０８と、操作部４０９と、制御部４１０と、子機ＩＤ記憶部４１１と、電話親機ＩＤ記憶部４１２と、ドアホンＩＤ記憶部４１３と、モニタ４１４とを備えている。
【００４２】
報知部４０１は、制御部４１０に接続されており、制御部４１０からの通知により、電話回線４からの着信や、ドアホン装置２からの来訪者の通知を報知する。
【００４３】
音声回路４０２は、制御部４１０に接続され、通話部４０３のマイクから入力された音声信号を音声データへ変換して制御部４１０や、フレーム処理部４０６へ出力したり、制御部４１０またはフレーム処理部４０６から入力した音声データを音声信号に変換して通話部４０３のスピーカにより鳴らしたりする。
【００４４】
モニタ回路４０４は、制御部４１０に接続され、ドアホン装置２からの映像データをモニタ４１４へ表示させる。
【００４５】
同期処理部４０５は、フレーム処理部４０６および制御部４１０と接続され、パケットの先頭のプリアンブルとシンクワードで同期処理を行う。
【００４６】
フレーム処理部４０６は、音声回路４０２、無線部４０７および制御部４１０に接続され、復調データから同期信号元に制御データフィールド及び情報データフィールドを抽出して制御部４１０又は音声回路４０２に出力する機能を備えている。
【００４７】
無線部４０７は、ＴＤＭＡで通信行うための変調および復調を行いアンテナ４０８を介して送受信する。
【００４８】
操作部４０９は、発信先電話番号を入力する際に使用される番号キーと、オンフック／オフフックするためキーや、リダイアルするためのキーなどの機能キーを備えている。
【００４９】
制御部４１０は、コードレス電話子機３ｂを総括制御するものである。
【００５０】
子機ＩＤ記憶部４１１は、従属局である自装置のＩＤが登録されている。電話親機ＩＤ記憶部４１２は、主制御局であるコードレス電話親機３ａのＩＤが登録されている。ドアホンＩＤ記憶部４１３は、従属制御局であるドアホン親機２ｂのＩＤが登録されている。この子機ＩＤ記憶部４１１と、電話親機ＩＤ記憶部４１２と、ドアホンＩＤ記憶部４１３とは、制御部４１０から読み出し可能に接続されている。
【００５１】
以上のように構成される本発明の実施の形態に係る無線通信システム１のドアホン親機２ｂ、コードレス電話親機３ａおよびコードレス電話子機３ｂがＴＤＭＡで通信を行うときのパケットデータのフォーマットを図８に基づいて説明する。図８（Ａ）および同図（Ｂ）は、パケットデータのフォーマットを説明する図である。
【００５２】
図８（Ａ）に示すように、データパケットは、制御情報を送信するときに使用されるパケットと、音声データや映像データを送信するときに使用されるパケットとがある。いずれのパケットデータも、同期信号と制御データフィールドと、制御データフィールドのチェックコードが格納されるＣＲＣ（Ｃｙｃｌｉｃ  Ｒｅｄｕｎｄａｎｃｙ  Ｃｈｅｃｋ）１のフィールドとを有している。
【００５３】
同期信号は、プリアンブルおよびシンクワードで構成され、通信元と同期を図るためのものである。制御データフィールドは、メッセージが格納されている。
【００５４】
また、音声データや画像データは、情報データフィールドに格納され、この情報データフィールドのチェックコードがＣＲＣ２に格納される。
【００５５】
図８（Ｂ）に示すように、制御データフィールドは、ヘッダ部とテール部とで構成され、ヘッダ部にはメッセージが格納される。テール部は、ヘッダ部に格納されるメッセージの内容に応じて格納される内容が異なる。例えば、ＮＴメッセージであれば、送信元のＩＤが格納されている。つまりこのＮＴメッセージは、コードレス電話親機３ａ及びドアホン親機２ｂが使用する。主制御局が送信したＮＴメッセージを受信した従属制御局および従属局は、そのスロットを主制御局が使用することを認識することができる。又、従属制御局が送信したＮＴメッセージを受信した従属局は、そのスロットを従属制御局が使用することを認識することができる。
【００５６】
また、ＰＴメッセージは、呼び出しを行うコードレス電話子機３ｂのＩＤが格納される。これは、電話回線４からの着信があった場合に、コードレス電話親機３ａがその着信を通知するコードレス電話子機３ｂのＩＤが格納されたり、来訪者があった場合に、ドアホン親機２ｂからの呼び出しを通知するコードレス電話子機３ｂのＩＤが格納されたりする。また、複数の子機すべてを同時に呼び出す場合は、全体を呼び出すことを示す特別のＩＤ（例えば、ＡＬＬ０のＩＤ）が格納される。
【００５７】
ＱＴメッセージは、通信先相手に送信スロットを通知する際に使用される。主制御局が送信したＱＴメッセージを受信した従属制御局および従属局は、その制御信号がフレーム内のどのスロットで送信されたかを認識することができ、主制御局とのフレーム、スロットの同期を取ることができる。
【００５８】
ＭＴメッセージは、コードレス電話親機３ａ及びドアホン親機２ｂが使用する場合と、コードレス電話子機３ｂが使用する場合がある。電話回線４からの着信があり、コードレス電話親機３ａからコードレス電話子機３ｂへＰＴメッセージが送信されると、オフフックしたコードレス電話子機３ｂからＭＴメッセージによる通話要求が送信され、その確認応答としてコードレス電話親機３ａからＭＴメッセージによる通話応答が送信される。同様に、玄関子機２ａからの着信があり、ドアホン親機２ｂからコードレス電話子機３ｂへＰＴメッセージが送信されると、オフフックしたコードレス電話子機３ｂからＭＴメッセージによる通話要求が送信され、その確認応答としてドアホン親機２ｂからＭＴメッセージによる通話応答が送信される。
【００５９】
次に、上述したようなパケットデータを用いてドアホン親機２ｂ、コードレス電話親機３ａおよびコードレス電話子機３ｂが通信を行うときの動作を、図５から図６に基づいて説明する。図５は本発明の第１の実施の形態に係る動作シーケンスを説明する図、図６は本発明の第２の実施の形態に係る動作シーケンスを説明する図である。
【００６０】
まず、コードレス電話親機３ａの動作を説明する。制御部３１１は、電源が投入されると、自己のタイミングでＴＤＭＡのフレーム／スロットのタイミングを決定し、任意の１つのスロットから同期スロットを選択し、制御情報の送信を開始する。制御部３１１は、制御情報の送信タイミングに合わせて、送信スロット番号および電話親機ＩＤ記憶部３０５に登録された自装置のＩＤをフレーム処理部３０６に出力する。フレーム処理部３０６では、送信スロット番号およびＩＤに同期信号等を付加して無線部３０７に出力することで、アンテナ３０８を介して制御情報が送信される（図５−Ｓ１）。
【００６１】
次にドアホン親機２ｂの動作を説明する。図２に示すように制御部２１４は、コードレス電話親機３ａと同様に、電源が投入されると、自己のタイミングでＴＤＭＡのフレーム／スロットのタイミングを決定し、任意の１つのスロットから同期スロットを選択し、制御情報の送信を開始する。制御部２１４は、制御情報の送信タイミングに合わせて、送信スロット番号およびドアホンＩＤ記憶部２１６に登録された自装置のＩＤをフレーム処理部２０９に出力する。フレーム処理部２０９では、送信スロット番号およびＩＤに同期信号等を付加して無線部２１０に出力することで、アンテナ２１３を介して制御情報が送信される（図５−Ｓ２）。
【００６２】
このとき、コードレス電話親機３ａとドアホン親機２ｂのＴＤＭＡのフレーム／スロットのタイミング同期は取れていないため、コードレス電話子機３ｂはコードレス電話親機３ａとドアホン親機２ｂ、いずれかの親機とのみ同期が可能となっており、両方の親機の送信する制御信号を同時に受信できない状態となっている（図５−Ｓ３）。
【００６３】
ここで、コードレス電話子機３ｂの制御部４１０は、モニタ回路４０４、モニタ４１４を制御して、使用者に「ドアホン・電話の両方を使用しますか。」といった表示を行い、ドアホン親機２ｂとコードレス電話親機３ａのＴＤＭＡのフレーム／スロット同期の確立を促す。使用者がコードレス電話子機３ｂの操作部４０９を用いて、前記コードレス電話子機３ｂとドアホン親機２ｂのＴＤＭＡのフレーム／スロット同期確立の起動が行われた場合、制御部４１０は無線部４０７、アンテナ４０８を制御してドアホン親機２ｂと無線リンクを確立する。あるいはドアホン親機２ｂとの同期が確立できていない場合は、無線部４０７を制御して連続受信状態にして同期補足動作を開始する。そして無線部４０７で受信して復調されたパケットデータがフレーム処理部４０６に渡される。
【００６４】
フレーム処理部４０６では、復調されたパケットデータから同期信号元の制御データフィールドを抽出し、制御データフィールドの受信データに基づいて送信元のＩＤ及び受信スロット番号を制御部４１０に出力する。制御部４１０では、受信したＩＤが電話親機ＩＤ記憶部４１２に登録されたＩＤに一致すると、電話親機ＩＤ記憶部４１２に登録されたＩＤを受信した送信スロットを同期スロットとして、以降はそのタイミングでドアホン親機２ｂの受信を行って、ドアホン親機２ｂとＴＤＭＡのフレーム／スロットの同期を確立する（図５−Ｓ４）。同期確立後、制御部４１０は、無線部４０７、アンテナ４０８を介してドアホン親機２ｂと無線リンクを確立する。
【００６５】
無線リンク確立後、制御部４１０は電話親機ＩＤ記憶部４１２に記憶している電話親機ＩＤをドアホン親機２ｂに対して送信する（図５−Ｓ５）。前記電話親機ＩＤを受信したドアホン親機２ｂの制御部２１４は電話親機ＩＤ記憶部２１５に前記電話親機ＩＤを記憶すると共に、無線部２１０に対して、ドアホン親機２ｂが同報送信している制御情報の送信を停止、連続受信状態にしてコードレス電話親機３ａとの同期補足動作を開始する。そして無線部２１０で受信して復調されたパケットデータがフレーム処理部２０９に渡される。フレーム処理部２０９では、復調されたパケットデータから同期信号元の制御データフィールドを抽出し、制御データフィールドの受信データに基づいて送信元のＩＤ及び受信スロット番号を制御部２１４に出力する。制御部２１４では、受信したＩＤが電話親機ＩＤ記憶部２１５に登録されたＩＤに一致すると、電話親機ＩＤ記憶部２１５に登録されたＩＤを受信した送信スロットを同期スロットとして、以降はそのタイミングでコードレス電話親機３ａの受信を行う（図５−Ｓ６）。
【００６６】
これにより、コードレス電話親機３ａとドアホン親機２ｂのＴＤＭＡのフレーム／スロットの同期が確立され、コードレス電話子機３ｂはコードレス電話親機３ａとドアホン親機２ｂ、両方の制御情報を受信可能となる（図５−Ｓ７）。
【００６７】
次に第２の実施の形態として以下に記す。コードレス電話子機３ｂは、ドアホン親機２ｂとの同期を確立した際、必要に応じて位置登録処理を行う。前記位置登録処理は、コードレス電話子機３ｂの制御部４１０が第１の実施の形態と同様にして同期補足動作を開始し、ドアホン親機２ｂとＴＤＭＡのフレーム／スロットの同期を確立後、直ちにドアホン親機２ｂとの無線リンクを確立する。
【００６８】
無線リンク確立後、コードレス電話子機３ｂの制御部４１０の制御部は、ドアホン親機２ｂに対して位置登録要求メッセージを送信する（図６−Ｓ８）。このときコードレス電話子機３ｂの制御部４１０は、子機ＩＤ記憶部４１１から自子機のＩＤを読み出し、コードレス電話子機３ｂのＩＤが含まれた位置登録要求メッセージを作成するが、同時に電話親機ＩＤ記憶部４１２から記憶している電話親機ＩＤを読み出し、前記位置登録要求メッセージに付加して送信する。図７に位置登録要求メッセージの構成を示す。前記位置登録要求メッセージを受信したドアホン親機２ｂの制御部２１４は、前記位置登録要求メッセージから前記電話親機ＩＤを抽出し、電話親機ＩＤ記憶部２１５に記憶する。以下、第１の実施の形態と同様の動作を行って、ドアホン親機２ｂはコードレス電話親機３ａとＴＤＭＡのフレーム／スロットの同期を確立する。
【００６９】
以上の構成により、例えばネットワークに新たにドアホン親機（従属制御局）が加わる際、そのドアホン親機がコードレス電話親機（主制御局）のＩＤ情報を記憶していない場合であっても、先にコードレス電話親機に従属しているコードレス電話子機（従属局）がコードレス電話親機のＩＤ情報をドアホン親機へ渡すことによりドアホン親機をコードレス電話親機に同期させることができ、使用者がコードレス電話親機のＩＤ情報をドアホン親機に入力する必要が無い。
【００７０】
以上、本発明の実施の形態について説明してきたが、本発明は前記実施の形態に限定されるものではない。
【００７１】
本実施の形態では従属制御局としてドアホン装置のドアホン親機を１台だけ備えたものであったが、例えば、二世代住宅のように２台以上のドアホン装置を備えていてもよい。その場合には従属制御局が２台以上となるので、制御情報を送信する同報スロットがそれぞれが重ならないように、同期スロットを除いた送信スロットの中でそれぞれの従属制御局に対して同報スロットを割り当てることで通信が可能となる。
【００７２】
又、本実施の形態ではコードレス電話親機を主制御局、ドアホン親機を従属制御局とした例を示したが、実施の形態と逆の構成、即ち、コードレス電話親機を従属制御局、ドアホン親機を主制御局としてもよい。
【００７３】
又、本発明は２つの制御局が存在する無線通信システムに広く応用が可能で有り、例えば、２台のコードレス電話親機の一方が主制御局、他方が従属制御局となるような同一の無線設備が複数ある構成やコードレス電話、ドアホン以外の無線ＬＡＮ等の無線通信装置への適用も可能である。
【００７４】
以下、具体的な構成について説明する。
【００７５】
副制御局であるドアホン親機２ｂを実現するハードウェア構成を図９に示す。多重分離回路２２０は、玄関子機２ａから受信した来訪者の映像信号、玄関子機２ａを通じた来訪者との会話音声信号、玄関子機２ａから受信した来訪者の通知信号を分離重畳をする電気的インターフェースとしてトランジスタ等で構成されている。
【００７６】
多重分離回路２２０と対応するハードウェア構成は、ドアホンインターフェース１００１と、ドアホンインターフェース１００１から出力される玄関子機２ａとドアホン親機２ｂ間の映像信号をこの後段で使用するアナログ映像信号に変換する映像復調ＩＣ１００２と、映像復調ＩＣ１００２のアナログ信号をデジタル映像信号に変換するビデオキャプチャーＩＣ１００３と、デジタル映像信号を記憶するＳＤＲＡＭ１００６と、デジタルビデオ信号を録画再生などの管理を行うＣＰＵであるＶ８５０ＣＰＵ１００５と、Ｖ８５０ＣＰＵ１００５のプログラムが記憶されているＦＲＡＳＨ  ＲＯＭ１００７と、Ｖ８５０ＣＰＵ１００５プログラムが動作する際に使用するメモリＳＲＡＭ１００８である。
【００７７】
また、玄関子機２ａの来訪者とドアホン親機２ｂの使用者との間で会話をするために、玄関子機２ａ側と間の２線信号と４線信号との変換を２−４変換回路１００９で行っている。この２−４変換回路１００９と、ドアホン親機２ｂの音声回路２０６を構成するボイススイッチ１０２１および無線通信用のベースバンドＩＣ１０１１との間の信号は４線のアナログ信号となる。
【００７８】
通話部２０７はマイク１０１５とスピーカ１０１６から構成される。マイク１０１５からボイススイッチ１０２１へ親機側で発声した音声が出力される。玄関子機２ａで発声した音声は、ボイススイッチ１０２１からスピーカアンプ回路１０２２で電力増幅し、スピーカ１０１６で再生される。音声回路２０６の一部を構成するボイススイッチ１０２１が、マイク１０１５からの音量とスピーカ１０１６への音量を比較し、送話と受話を切り替えるために実装されている。
【００７９】
玄関子機２ａから呼び出し信号が入力されると、該呼び出し信号は制御部２１４と呼び出し検知部２０４を兼用したメインＣＰＵ１０１７で検知する。メインＣＰＵ１０１７は、呼び出しを検知した場合、報知部２０５でＬＥＤ１０１７を点滅させ、来訪を知らせる。これに応答して親機の操作部２１１の中の応答ボタン８０８（マトリクスキースイッチ１０１８）を押すと、メインＣＰＵ１０１７がそれを検知し、音声の通話ができるように全体を制御する。
【００８０】
玄関子機２ａからビデオキャプチャーＩＣ１００３にアナログ画像信号が入力されると、ビデオキャプチャーＩＣ１００３はＳＤＲＡＭ１００６を用いてアナログ画像信号をデジタル画像信号に変換する。
【００８１】
さらに、Ｖ８５０ＣＰＵ１００５は、デジタル画像信号を録画する、時計タイマー１００４の時刻情報を用いてデジタル画像信号に時刻情報を付加する、などの機能を実現している。ＦＬＡＳＨ  ＲＯＭ１００７に蓄積されたプログラムをＶ８５０ＣＰＵ１００５がＳＲＡＭ１００８を用いて実行することによって実現される。
【００８２】
Ｖ８５０ＣＰＵ１００５で生成された信号はコードレス電話子機３ｂへ出力するためにベースバンドＩＣ１０１１へ出力される。
【００８３】
また、玄関子機２ａからの来訪者の画像をモニタ回路２０１としてのＬＣＤ  Ｄｒｉｖｅｒ  ＩＣ１０１９を用いてＬＣＤパネル１０２０に表示する。
【００８４】
ベースバンドＩＣ１０１１は、制御部２１４の一部とフレーム処理部２０９と音声回路２０６の一部を実装している。ベースバンドＩＣ１０１１は音声情報、画像情報、制御信号等に、ＴＤＭＡ−ＴＤＤ方式の通信に必要な同期信号とエラー検知用のエラー検出符号を付加し、ＴＤＭＡ方式のフレーム、タイムスロットに合わせて送信データ列を生成し、又、受信した受信データ列から、ＴＤＭＡ方式のフレーム、タイムスロットに合わせてエラー検知の処理を行い、エラーのなかったタイムスロットで受信された、音声情報、制御信号を出力する。
【００８５】
またベースバンドＩＣ１０１１が実行するプログラムやホッピングパターンを記憶する記憶部としてＦＬＡＳＨ  ＲＯＭ１０１２を実現している。また、ベースバンドＩＣ１０１１がプログラムを実行する際に使用するメモリとそのメモリ中で実現されている画像情報記憶部２０３を、ＳＲＡＭ１０１３で実現している。また、親機と増設親機間の無線通信において、増設親機が親機の同定をするためのＩＤ情報をＥＥＰＲＯＭ１０１４に記憶している。
【００８６】
無線部２１０、入力されたデータ列を変調、増幅し、又、受信した無線信号を増幅復調し受信データを出力する周波数ホッピングを用いたＴＤＭＡ方式の無線の送受信を行う無線ＩＣ１０２３と複数のアンテナを切り替えるスイッチ１０２４で実現されている。
【００８７】
コードレス電話子機３ｂを実現するハードウェア構成を図１０に示す。制御部４１０は、ベースバンドＩＣ１１０１とＦｌａｓｈ  ＲＯＭ１１０２とＳＲＡＭ１１０３とＥＥＰＲＯＭ１１０４とＬＣＤ電源制御１１０５とで構成される。
【００８８】
ベースバンドＩＣ１１０１は、ベースバンドＩＣ１１０１が実行するプログラムを記憶したＦｌａｓｈ  ＲＯＭ１１０２と、ベースバンドＩＣ１１０１がプログラムを実行する際に用いるメモリであるＳＲＡＭ１１０３とを用いてコードレス電話子機３ｂの制御を行う。
【００８９】
従属相手であるコードレス電話親機３ａを特定するためのＩＤ情報、連携する１つ又は複数のドアホン親機２ｂのＩＤ情報、これら親機がコードレス電話子機３ｂを特定するためのコードレス電話子機３ｂ自体のＩＤ情報は、ＥＥＰＲＯＭ１０１４に記憶される。
【００９０】
またＦｌａｓｈ  ＲＯＭ１１０２は、ベースバンドＩＣ１１０１が実行するプログラムと、無線通信において用いられるホッピングパターンを記憶している。
【００９１】
ベースバンドＩＣ１１０１は無線の送受信において用いるフレーム処理部４０６と、音声回路４０２の一部を実装している。この音声回路４０２により玄関子機２ａあるいはドアホン親機２ｂと通話することが可能になる。
【００９２】
また、ＬＣＤ電源制御回路１１０５は、ベースバンドＩＣ１１０１の制御に基づき、ＬＤＣ  Ｄｒｉｖｅｒ  ＩＣ１１０６の電源の制御を行う。
【００９３】
表示用のモニタ回路４０４としてはＬＣＤ  Ｄｒｉｖｅｒ  ＩＣ１１０６が、またモニタ４１４としてＬＣＤパネル１１０７が実装されている。報知部４０１として、ドアホン親機２ｂからの着信を表示するＬＥＤ１１０８が実装されている。また、ドアホン親機２ｂからの着信に対し使用者が応答操作をする応答ボタン９１０（図１３）の操作を検知するためのキーマトリクススイッチ１１０９が実装されている。
【００９４】
使用者がドアホン親機２ｂを通じて玄関子機２ａと通話する際に使用する通話部４０３は、マイク１１１０とスピーカ１１１１が実装されている。また、スピーカ１１１１を鳴らすための電力増幅をするために音声回路４０２の一部としてスピーカアンプ回路１１１２が実装される。
【００９５】
ベースバンドＩＣ１１０１から／への画像や音声の通信データのやり取りを無線の送受信を行うための無線部４０８は、無線ＩＣ１１１３で実装している。ここで、複数のアンテナを用いて送受信するためにアンテナ切替えスイッチ１１１４を用いている。
【００９６】
またコードレス電話子機３ｂは、携帯できるようにするため電池を含む充電制御回路１１１６とＬＣＤパネル１１０７を動作させる電源としてＬＣＤ電源用昇圧回路１１１７とベースバンドＩＣ１１０１の電源とリセットを制御する電源・リセット回路１１１８を実装している。また、コードレス電話子機３ｂの電池を充電するために充電端子１１１５を実装している。
【００９７】
本発明の実施の形態に係る無線通信システムの玄関子機の外観図を図１１に示す。玄関子機の前面には、来訪者を撮像するための画像信号とするカメラと、来訪者と通話を行うマイク１２０２とスピーカ１２０３と、来訪者がドアホン親機２ｂおよびコードレス電話子機３ｂに来訪を伝える呼び出しボタン１２０４（呼び出し検知部１０３）が配置されている。
【００９８】
本発明の実施の形態に係る無線通信システムのドアホン親機の外観図を図１２に示す。ドアホン親機２ｂの前面には、玄関子機２ａの来訪者の画像を映すＬＣＤパネル１０２０と、応答ボタン８０８と、来訪を光で表示するＬＥＤ１０１７が配置されている。また、玄関子機２ａの来訪者と通話するためのマイク１０１５とスピーカ１０１６を有している。
【００９９】
本発明の実施の形態に係る無線通信システムのコードレス電話子機の外観図を図１３に示す。コードレス電話子機３ｂの前面には、玄関子機２ａの来訪者の画像を映すＬＣＤパネル１１０７と、応答ボタン９１０と、来訪を光で表示するＬＥＤ１１０８がある。また、玄関子機２ａの来訪者と通話するためのマイク１１１０と、コードレス電話子機３ｂの背面にスピーカ１１１１を有している。
【０１００】
この構成により、来訪者は、玄関子機２ａを用いて、室内の使用者と会話ができる。ここで、玄関子機の画像は、ドアホンインターフェース１００１を有するドアホン親機２ｂを経由してコードレス電話子機３ｂへ送られ、室内の使用者が携帯するコードレス電話子機３ｂのＬＣＤパネル１１０７上にも玄関子機の画像が映し出され、来訪者の姿を見ながら会話ができる。また室内での使用者は、コードレス電話子機３ｂを持ち移動しながら会話でき。また、待ち受け時ではコードレス電話子機３ｂを都合の良い場所に置いておくことができる。またコードレス電話子機３ｂはコードレス電話親機３ａと無線接続されるので、電話回線を介する外線通話も可能である。
【産業上の利用可能性】
【０１０１】
本発明は、タイミングのずれを防止して、複数の制御局と従属局とが確実に通信可能とすることができるので、制御局と従属局とが時分割多重で通信を行う無線通信システムに好適である。
【図面の簡単な説明】
【０１０２】
【図１】本発明の実施の形態に係る無線通信システムの構成を示す図
【図２】本発明の実施の形態に係るドアホン装置の構成を説明する図
【図３】本発明の実施の形態に係るコードレス電話装置のコードレス電話親機の構成を説明する図
【図４】本発明の実施の形態に係るコードレス電話装置のコードレス電話子機の構成を説明する図
【図５】本発明の第１の実施の形態に係る動作シーケンスを説明する図
【図６】本発明の第２の実施の形態に係る動作シーケンスを説明する図
【図７】本発明の第２の実施の形態に係る位置登録要求メッセージの構成を説明する図
【図８】パケットデータのフォーマットを説明する図
【図９】本発明の実施の形態に係る無線通信システムのドアホン親機のハードウェア構成を示す図
【図１０】本発明の実施の形態に係る無線通信システムのコードレス電話子機のハードウェア構成を示す図
【図１１】本発明の実施の形態に係る無線通信システムの玄関子機の外観図
【図１２】本発明の実施の形態に係る無線通信システムのドアホン親機の外観図
【図１３】本発明の実施の形態に係る無線通信システムのコードレス電話子機の外観図
【図１４】コードレス電話装置とドアホン装置を備えた構成を示す図
【符号の説明】
【０１０３】
１    無線通信システム
２    ドアホン装置
２ａ    玄関子機
２ｂ    ドアホン親機
３    コードレス電話装置
３ａ    コードレス電話親機
３ｂ    コードレス電話子機
４    電話回線
１０    無線通信システム
１１    リピータ装置
１０１    カメラ部
１０２    通話部
１０３    呼び出し検知部
１０４    多重分離回路
２０１    モニタ回路
２０２    モニタ
２０３    画像情報記憶部
２０４    呼び出し検知部
２０５    報知部
２０６    音声回路
２０７    通話部
２０８    同期処理部
２０９    フレーム処理部
２１０    無線部
２１１    操作部
２１３    アンテナ
２１４    制御部
２１５    電話親機ＩＤ記憶部
２１６    ドアホンＩＤ記憶部
２２０    多重分離回路
３０１    回線ＩＦ
３０２    音声回路
３０３    着信検知部
３０４    子機ＩＤ記憶部
３０５    電話親機ＩＤ記憶部
３０６    フレーム処理部
３０７    無線部
３０８    アンテナ
３１１    制御部
４０１    報知部
４０２    音声回路
４０３    通話部
４０４    モニタ回路
４０５    同期処理部
４０６    フレーム処理部
４０７    無線部
４０８    アンテナ
４０９    操作部
４１０    制御部
４１１    子機ＩＤ記憶部
４１２    電話親機ＩＤ記憶部
４１３    ドアホンＩＤ記憶部
４１４    モニタ
【図１】
2007006294.tif 000003
【図２】
2007006294.tif 000004
【図３】
2007006294.tif 000005
【図４】
2007006294.tif 000006
【図５】
2007006294.tif 000007
【図６】
2007006294.tif 000008
【図７】
2007006294.tif 000009
【図８】
2007006294.tif 000010
【図９】
2007006294.tif 000011
【図１０】
2007006294.tif 000012
【図１１】
2007006294.tif 000013
【図１２】
2007006294.tif 000014
【図１３】
2007006294.tif 000015
【図１４】
2007006294.tif 000016